(57)【要約】【課題】速報性が高くタイムリな情報を含むパンフレットを公共スペースで一般消費者が容易に入手すること、及び広告主側が有用な顧客情報を得ることが可能なパンフレット作成システムを提供する。【解決手段】サーバ装置１、ネットワーク４を通じて接続された各種のデータ処理を実行可能で公共スペースに設置された情報端末装置５、及び情報端末処理装置５と同じ公共スペースに設置された画像形成装置６を用いる。ユーザが情報端末装置５でユーザ情報，パンフレット要求を入力しサーバ装置１に送信する。サーバ装置１はその情報を受信し、受信した情報に基づきユーザが必要とする情報検索を実行し、パンフレット情報をその情報端末装置５に送信する。情報端末装置５は、送信されたデータを受信したのち画像形成装置６に印刷要求・印刷データを送信し、画像形成装置６は印刷要求・印刷データを受信したのち印刷データの出力を実行する。【選択図】図１
2005190096.tif 000002
【特許請求の範囲】
【請求項１】
サーバ装置と、該サーバ装置に通信ネットワークを通じて接続可能な情報端末装置と、該情報端末装置に接続された画像形成装置と、を備え、パンフレットを作成するためのパンフレット作成システムであって、
前記サーバ装置は、広告，宣伝，説明などの電子情報を含むパンフレット情報を記憶したパンフレット記憶手段と、前記情報端末装置から送信されるパンフレット要求情報及びユーザ情報を受信するパンフレット要求受信手段と、該受信したパンフレット要求情報に基づいて、前記パンフレット記憶手段に記憶されたパンフレット情報を、前記通信ネットワークを通じて前記情報端末装置に配信するパンフレット配信手段と、前記受信したユーザ情報を、顧客の管理情報として記憶する顧客管理情報記憶手段と、を有し、
前記情報端末装置は、該情報端末装置のユーザの情報を入力する情報入力手段と、該入力されたユーザの情報と共に、前記パンフレット情報を要求するためのパンフレット要求情報を、通信ネットワークを通じて送信するパンフレット要求送信手段と、前記サーバ装置から通信ネットワークを通じて前記パンフレット情報を受信するパンフレット受信手段と、前記受信したパンフレット情報の画像形成要求及び画像形成データを、前記画像形成装置に送信する画像形成要求送信手段と、を有し、
前記画像形成装置は、前記情報端末装置より送信された画像形成要求及び画像形成データを受信する画像形成要求受信手段と、該受信した画像形成要求及び画像形成データに基づいて、前記パンフレット情報を紙媒体又は電子ペーパに画像として形成する画像形成手段と、を有することを特徴とするパンフレット作成システム。
【請求項２】
サーバ装置と、該サーバ装置に通信ネットワークを通じて接続可能な情報端末装置と、該情報端末装置の近傍に設置され前記サーバ装置に通信ネットワークを通じて接続可能な画像形成装置と、を備え、パンフレットを作成するためのパンフレット作成システムであって、
前記サーバ装置は、広告，宣伝，説明などの電子情報を含むパンフレット情報を記憶したパンフレット記憶手段と、前記情報端末装置から送信されるパンフレット要求情報及びユーザ情報を受信するパンフレット要求受信手段と、該受信したパンフレット要求情報に基づいて、前記パンフレット記憶手段に記憶されたパンフレット情報を、前記通信ネットワークを通じて前記画像形成装置に画像形成要求及び画像形成データとして送信する画像形成要求送信手段と、前記受信したユーザ情報を、顧客の管理情報として記憶する顧客管理情報記憶手段と、を有し、
前記情報端末装置は、該情報端末装置のユーザの情報を入力する情報入力手段と、該入力されたユーザの情報と共に、前記パンフレット情報を要求するためのパンフレット要求情報を、通信ネットワークを通じて送信するパンフレット要求送信手段と、を有し、
前記画像形成装置は、前記サーバ装置から通信ネットワークを通じて前記パンフレット情報の画像形成要求及び画像形成データを受信する画像形成要求受信手段と、該受信した画像形成要求及び画像形成データに基づいて、前記パンフレット情報を紙媒体又は電子ペーパに画像として形成する画像形成手段と、を有することを特徴とするパンフレット作成システム。
【請求項３】
前記パンフレット配信手段は、前記パンフレット要求受信手段で受信したユーザ情報に基づいて、前記顧客管理情報記憶手段に記憶された顧客管理情報を参照して、所定のパンフレット情報を配信することを特徴とする請求項１又は２に記載のパンフレット作成システム。
【請求項４】
前記顧客管理情報は、顧客の当該システムの利用履歴に関する情報、又は前記パンフレット情報の提供業者に対する顧客の購入履歴に関する情報を含み、
前記パンフレット配信手段は、前記パンフレット要求受信手段で受信したユーザ情報に基づいて、前記顧客管理情報記憶手段に記憶された顧客管理情報の利用履歴又は購入履歴を参照して、所定のパンフレット情報を配信することを特徴とする請求項１又は２に記載のパンフレット作成システム。
【請求項５】
前記顧客管理情報は、顧客の当該システムの利用履歴に関する情報、又は前記パンフレット情報の提供業者に対する顧客の購入履歴に関する情報を含み、
前記パンフレット記憶手段は、前記パンフレット情報に付加する付加情報を関連付けて記憶し、
前記パンフレット配信手段は、前記パンフレット要求受信手段で受信したユーザ情報に基づいて、前記顧客管理情報記憶手段に記憶された顧客管理情報を参照して、前記受信したユーザ情報に係るユーザの当該システムの利用履歴又は購入履歴に基づいて、前記パンフレット情報に所定の前記付加情報を付加して送信することを特徴とする請求項１又は２に記載のパンフレット作成システム。
【請求項６】
前記情報端末装置及び画像形成装置が、公共スペースに設置されていることを特徴とする請求項１乃至５のいずれか１項に記載のパンフレット作成システム。
【発明の詳細な説明】
【技術分野】
【０００１】
本発明は、パンフレット作成システムに関し、より詳細には、旅行，不動産，求人，教育等の情報を含むパンフレットを作成するためのパンフレット作成システムに関する。
【背景技術】
【０００２】
近年、通信速度の高速化に応じてネットワーク環境の整備が進んでおり、情報通信端末、特にパーソナルコンピュータ（ＰＣ）の活用が増大している。例えば、インターネットを使った情報検索やオンラインショッピング等は日常的に使用されるに至っている。それに従って、宣伝広告の方法にも変化が見られており、コンピュータを使った広告配信も急速に普及している。
【０００３】
そのため、ユーザは、欲しい広告情報を情報端末装置を用いてそのモニタ上で閲覧することが可能になり、例えば、大学，予備校，学習塾等の教育機関の講座や講演会のパンフレットの配信において、希望者に適した情報のみをインターネットを介して検索し閲覧することで、労力やコストを低減できる電子パンフレットシステムが提案されている（例えば、特許文献１を参照）。
【０００４】
さらに、イメージ情報を含む詳細な不動産情報を、インターネットを用いた検索により容易に得ることが可能な不動産情報処理システムが提案されている（例えば、特許文献２を参照）。
【０００５】
しかしながら、これらの方法は非常に有用性が高いにも拘らず、例えば旅行，不動産，求人，教育（例えば、大学，専門学校，予備校，学習塾等の専門機関の情報や通信教育等の講座情報）に関する広告情報は、普通紙を始めとする紙媒体でパンフレットとして配布されることが多いのが現状である。
【０００６】
この要因としては、上述したような分野については、自動車や電化製品等とは異なり、商品を見て触って確認することが行い難いものが多く、商品案内に詳細な説明が必要であることが挙げられる。また、閲覧したい場合にすぐに確認できることや、視覚性に優れており、多くの情報量を一度に得ることができる等、紙媒体の優れた点も多数存在していることも一因であると思われる。さらに、上述した分野の対象商品としては、比較的高額なものも含まれており、また、時間をかけて検討が必要な情報も多いため、上述のごとき紙媒体での有用性が特に高いものと推定される。
【０００７】
従って、上述したような分野については、公共スペース、例えば駅やビルやショップ内などに、多数のパンフレットが陳列されており、希望するパンフレットを陳列場所で直ぐに入手することが可能になっている。しかしながら、例えば旅行パンフレットにおいては、海外旅行或いは国内旅行における各地域毎のパンフレットを同時に提示する必要があるため、広い公共スペースを必要とするという問題がある。
【０００８】
また、予めパンフレットの発行部数を予測して作成する必要があるため、場合によっては、パンフレットが過剰或いは不足してしまうなどの問題がある。特に、スキー旅行や夏休みの海水浴プラン、或いは紅葉狩りツアー等、特定のシーズンのみに適用できるものについては、パンフレットの有効期限も非常に短いため、部数が過剰或いは不足してしまう際の不都合が大きい。また、ツアー日程の直前になってキャンセルが発生した場合のような速報性のある情報をパンフレットに掲載することは、作成・陳列に所定の時間を有することや、逐次作成コストが発生することから、困難であるという問題がある。
【０００９】
また、広告主側からみると、公共スペースに設置されたパンフレットは不特定多数の人が自由に取っていくことが可能となっていることが多いため、有用な顧客情報を得難いという問題も存在する。
【００１０】
これらの問題に対し、一般消費者が、インターネットを使って、希望するパンフレットの資料請求を行い、入手する方法も提案されている。この方法を用いた場合は、特に公共スペースにパンフレットを多数並べる必要がなくなるという点で優れているが、発送に一定の期間がかかるため、直ぐにパンフレットを入手できないことや、パンフレット内の情報に速報性のある情報が含まれていないという点で問題がある。
【００１１】
また、ネットワークを介してパンフレットを作成することが可能なパンフレット作成システムが提案されている（例えば、特許文献３を参照）。特許文献３に記載のパンフレット作成システムは、基本的にパンフレットに基づく商品の販売を行いたい業者が、印刷業者にパンフレットの印刷を依頼するためのシステムであり、商品販売業者からの発注データに基づいて印刷されたパンフレットは、印刷業者から商品販売業者（例えば旅行代理店）に送られ、商品販売業者によって一般消費者に対し陳列されることとなる。従って、この方法を用いた場合においても、公共スペースにパンフレットを多数並べる必要があるため多くのスペースを必要とすることや、広告主側も顧客情報を得難いという点で問題が存在している。
【特許文献１】特開２００２−４１９７７号公報
【特許文献２】特開２００２−４１６２４号公報
【特許文献３】特開２００２−１０９３１８号公報
【発明の開示】
【発明が解決しようとする課題】
【００１２】
本発明は、上述のごとき実情に鑑みてなされたものであり、旅行，不動産，求人，教育等の速報性が高くタイムリな情報を含むパンフレットを、公共スペースで一般消費者が容易に入手することが可能であり、且つ広告主側も有用な顧客情報を得ることが可能な、パンフレット作成システムを提供することを目的とする。
【課題を解決するための手段】
【００１３】
請求項１の発明は、サーバ装置と、該サーバ装置に通信ネットワークを通じて接続可能な情報端末装置と、該情報端末装置に接続された画像形成装置と、を備え、パンフレットを作成するためのパンフレット作成システムであって、前記サーバ装置は、広告，宣伝，説明などの電子情報を含むパンフレット情報を記憶したパンフレット記憶手段と、前記情報端末装置から送信されるパンフレット要求情報及びユーザ情報を受信するパンフレット要求受信手段と、該受信したパンフレット要求情報に基づいて、前記パンフレット記憶手段に記憶されたパンフレット情報を、前記通信ネットワークを通じて前記情報端末装置に配信するパンフレット配信手段と、前記受信したユーザ情報を、顧客の管理情報として記憶する顧客管理情報記憶手段と、を有し、前記情報端末装置は、該情報端末装置のユーザの情報を入力する情報入力手段と、該入力されたユーザの情報と共に、前記パンフレット情報を要求するためのパンフレット要求情報を、通信ネットワークを通じて送信するパンフレット要求送信手段と、前記サーバ装置から通信ネットワークを通じて前記パンフレット情報を受信するパンフレット受信手段と、前記受信したパンフレット情報の画像形成要求及び画像形成データを、前記画像形成装置に送信する画像形成要求送信手段と、を有し、前記画像形成装置は、前記情報端末装置より送信された画像形成要求及び画像形成データを受信する画像形成要求受信手段と、該受信した画像形成要求及び画像形成データに基づいて、前記パンフレット情報を紙媒体又は電子ペーパに画像として形成する画像形成手段と、を有することを特徴としたものである。
【００１４】
請求項２の発明は、サーバ装置と、該サーバ装置に通信ネットワークを通じて接続可能な情報端末装置と、該情報端末装置の近傍に設置され前記サーバ装置に通信ネットワークを通じて接続可能な画像形成装置と、を備え、パンフレットを作成するためのパンフレット作成システムであって、前記サーバ装置は、広告，宣伝，説明などの電子情報を含むパンフレット情報を記憶したパンフレット記憶手段と、前記情報端末装置から送信されるパンフレット要求情報及びユーザ情報を受信するパンフレット要求受信手段と、該受信したパンフレット要求情報に基づいて、前記パンフレット記憶手段に記憶されたパンフレット情報を、前記通信ネットワークを通じて前記画像形成装置に画像形成要求及び画像形成データとして送信する画像形成要求送信手段と、前記受信したユーザ情報を、顧客の管理情報として記憶する顧客管理情報記憶手段と、を有し、前記情報端末装置は、該情報端末装置のユーザの情報を入力する情報入力手段と、該入力されたユーザの情報と共に、前記パンフレット情報を要求するためのパンフレット要求情報を、通信ネットワークを通じて送信するパンフレット要求送信手段と、を有し、前記画像形成装置は、前記サーバ装置から通信ネットワークを通じて前記パンフレット情報の画像形成要求及び画像形成データを受信する画像形成要求受信手段と、該受信した画像形成要求及び画像形成データに基づいて、前記パンフレット情報を紙媒体又は電子ペーパに画像として形成する画像形成手段と、を有することを特徴としたものである。
【００１５】
請求項３の発明は、請求項１又は２の発明において、前記パンフレット配信手段は、前記パンフレット要求受信手段で受信したユーザ情報に基づいて、前記顧客管理情報記憶手段に記憶された顧客管理情報を参照して、所定のパンフレット情報を配信することを特徴としたものである。
【００１６】
請求項４の発明は、請求項１又は２の発明において、前記顧客管理情報は、顧客の当該システムの利用履歴に関する情報、又は前記パンフレット情報の提供業者に対する顧客の購入履歴に関する情報を含み、前記パンフレット配信手段は、前記パンフレット要求受信手段で受信したユーザ情報に基づいて、前記顧客管理情報記憶手段に記憶された顧客管理情報の利用履歴又は購入履歴を参照して、所定のパンフレット情報を配信することを特徴としたものである。
【００１７】
請求項５の発明は、請求項１又は２の発明において、前記顧客管理情報は、顧客の当該システムの利用履歴に関する情報、又は前記パンフレット情報の提供業者に対する顧客の購入履歴に関する情報を含み、前記パンフレット記憶手段は、前記パンフレット情報に付加する付加情報を関連付けて記憶し、前記パンフレット配信手段は、前記パンフレット要求受信手段で受信したユーザ情報に基づいて、前記顧客管理情報記憶手段に記憶された顧客管理情報を参照して、前記受信したユーザ情報に係るユーザの当該システムの利用履歴又は購入履歴に基づいて、前記パンフレット情報に所定の前記付加情報を付加して送信することを特徴としたものである。
【００１８】
請求項６の発明は、請求項１乃至５のいずれか１の発明において、前記情報端末装置及び画像形成装置が、公共スペースに設置されていることを特徴としたものである。
【発明の効果】
【００１９】
本発明によれば、公共スペースに設置された情報端末装置及び画像形成装置、及びその情報端末装置に通信ネットワークを通じて接続されたサーバ装置により、旅行，不動産，求人，教育等の速報性が高くタイムリな情報を含むパンフレットを、公共スペースで一般消費者が容易に入手することが可能となり、且つ広告主側も有用な顧客情報を得ることが可能となる。さらに、本発明によれば、一般消費者が公共スペースでパンフレットを手にすることが可能であるので、その場で商談を行うことも可能となる。
【発明を実施するための最良の形態】
【００２０】
図１は、本発明の一実施形態に係るパンフレット作成システムの一構成例を示す図で、図２は、図１のシステムの詳細を説明するための図である、図中、１はパンフレット情報配信サーバ装置、２は顧客管理情報データベース、３はパンフレット情報データベース、４は通信ネットワーク、５は情報端末装置、６は画像形成装置、１１はパンフレット要求受信手段、１２はパンフレット配信手段、５１は情報入力手段、５２はパンフレット要求送信手段、５３はパンフレット受信手段、５４は画像形成要求送信手段の一例としての印刷要求送信手段、６１は画像形成要求受信手段の一例としての印刷要求受信手段、６２は画像形成手段である。
【００２１】
本発明の一実施形態に係るパンフレット作成システム（以下、本システムという）は、パンフレット情報配信サーバ装置（以下、単にサーバ装置という）１を備え、公共スペースに設置されている情報端末装置５に、通信ネットワーク（以下、単にネットワークという）４を通じて、パンフレット情報を配信し、情報端末装置５に接続された画像形成装置６を用いてパンフレットを作成するシステムである。
【００２２】
また、本明細書中では、画像形成装置６がＭＦＰやプリンタ等の印刷装置であった場合を主として説明しているが、被画像形成物が紙媒体ではなく、電子ペーパであった場合には、印刷要求の代わりに電子ペーパへの表示要求が、印刷データの代わりに電子ペーパへの表示データが、画像形成要求送信手段の一例として印刷要求送信手段５４の代わりに表示要求送信手段が、画像形成要求受信手段の一例として印刷要求受信手段６１の代わりに表示要求受信手段が、それぞれ対応することとなる。
【００２３】
なお、電子ペーパとしては、マイクロカプセルを使った電気泳動法を用いたものや、ジリコンビーズを用いたもの、泳動粒子を水平方向に移動させるイン・プレーン型を採用したものや、電子粉流体を用いたものなど、様々な形態が挙げられる。電気泳動方式の他にも、水と画素にあたる色付きの油滴を封入した構造を採用し、電圧をかけることで表面張力を変化させ、油滴を変形させて表示する「エレクトロウェッティング」と呼ばれる方式もある。また、電子ペーパにおける画像形成も、電子ペーパに電圧を掛けるなどして電気信号を送信して（ここでは例えばこの電圧印加手段が画像形成装置６に相当する）自己印字させる自己印字機能を持たせたものに限らず、書き込み装置と表示媒体とをはっきり分け、外部の書き込み装置（ここでは画像形成装置６に相当）によって書き込み消去を可能としたものなども採用可能である。さらに、表示部（ディスプレイ）への情報や電力を、ケーブルコードで送るようにしても、ワイヤレスでデータを受け取れるようにしてもよい。
【００２４】
サーバ装置１は、１台又は複数台の情報端末装置５からのネットワーク４を通じた接続が可能に設置されており、情報端末装置５には画像形成装置６が接続されている。情報端末装置５及び画像形成装置６は、旅行会社等の店頭や駅や各種ビルなどの公共スペースに設置されているものとする。勿論、公共スペースとしては人通りの多い所が好ましい。また、情報端末装置５及び画像形成装置６は、或る設置場所に一対一で１組又は複数組設置することが好ましいが、１台の情報端末装置５に複数の画像形成装置６を接続しても（但し画像形成先を指定しておく必要有り）、１台の画像形成装置６に対し複数の情報端末装置５をネットワーク接続してもよい。また、設置場所の数は、複数箇所であることが本システムを有効に利用できる点で好ましいが、１箇所であってもよい。
【００２５】
また、サーバ装置１は、パンフレット情報を記憶したパンフレット記憶手段と、顧客管理情報を記憶した顧客管理情報記憶手段とを備えており、それらの現実的な形態として、図示のようにパンフレット情報を管理するパンフレット情報データベース（ＤＢ）３、顧客管理情報を管理する顧客管理情報ＤＢ２などが備えられるよう構成してもよく、以下、この形態に基づき本発明を説明する。パンフレット情報ＤＢ３は、パンフレット情報を格納したパンフレット情報保管ＤＢとも謂えるデータベースで、顧客管理情報ＤＢ２は、情報端末装置５から送信されてきたユーザのユーザ情報を格納した顧客情報保管ＤＢとも謂えるデータベースで、ユーザ情報を例えば履歴情報と共に管理している。
【００２６】
パンフレット情報とは、広告，宣伝，説明などの電子情報を含む情報である。例えば、旅行に関するパンフレット情報としては、旅行の日程，交通手段，見所，宿泊先，費用，オプションなどの情報が文字，写真，イラスト等で作成されたものである。また、不動産販売に関するパンフレット情報としては不動産物件の位置，販売金額，占有面積，間取りなどの情報が、求人に関する情報としては会社（勤務先）の住所，電話番号，営業内容，求人条件などの情報が、教育（例えば学習塾）に関するパンフレット情報としては住所，電話番号，科目，時間割などの他に教材の情報や教材そのものなどの情報が、文字，写真，イラスト等で作成されている。
【００２７】
また、ユーザ情報とは、例えば年齢，性別，職業，氏名，住所，電子メールアドレス等の情報、及び／又は、それに代わるＩＤ，パスワードの情報である。顧客管理情報とは、ユーザ情報に加え、そのユーザ（顧客）に対する、パンフレット取得履歴（本システム利用履歴）やパンフレットの提供主の業者（以下、パンフレット提供業者）からの商品購入履歴（パンフレット提供業者での商品販売履歴）などを併せた情報である。
【００２８】
また、本実施形態におけるサーバ装置１は、パンフレット要求受信手段１１及びパンフレット配信手段１２を備えるものとする。パンフレット要求受信手段１１は、公共スペースに設置されている情報端末装置５から送信されるパンフレット要求（パンフレット要求情報）及びユーザ情報を受信する情報受信手段である。ここで、パンフレット要求情報及びユーザ情報は、同時に受信される必要はないが、両者が関連付けられて受信される必要がある。また、顧客管理情報ＤＢ２は、パンフレット要求受信手段１１で受信したユーザ情報を、顧客の管理情報として記憶する。なお、顧客管理情報ＤＢ２には、予め本システム運営者（パンフレット提供業者）が保持している顧客情報を登録しておいてもよい。
【００２９】
パンフレット配信手段１２は、パンフレット要求受信手段１１で受信したパンフレット要求情報に基づいて、パンフレット情報ＤＢ３に記憶されたパンフレット情報を、ネットワーク４を通じて情報端末装置５に配信する情報配信（送信）手段である。パンフレット配信手段１２は、配信に先立ち、パンフレット情報ＤＢ３の情報を、パンフレット要求情報の内容に基づき検索を行い、適当なパンフレットを抽出するようにしてもよい。なお、配信に伴い、顧客管理情報における利用実績等の書き換えを行うようにしてもよい。
【００３０】
このように、パンフレット配信手段１２では、公共スペースに設置されパンフレット要求情報を送信した情報端末装置５にネットワーク４を通じて、パンフレット情報を送信する。これにより、例えば旅行，不動産，求人，教育等のパンフレットを提供するために、パンフレット情報ＤＢ３に格納されたパンフレット情報データの変更のみが必要となるため、従来必要であった、適宜紙媒体でパンフレットを作成し複数の公共スペースに設置するなどの作業を低減することが可能になる。
【００３１】
一方、ユーザが使用する情報端末装置５は、サーバ装置１に対してネットワーク４を通じて接続可能で、各種のデータ処理が実行可能な情報端末装置であればよく、少なくとも情報入力手段５１、パンフレット要求送信手段５２，パンフレット受信手段５３，印刷要求送信手段５４を備えるものとする。情報端末装置５としては、汎用ＰＣだけでなく、ＰＤＡ（Ｐｅｒｓｏｎａｌ  Ｄｉｇｉｔａｌ  Ａｓｓｉｓｔａｎｔ；携帯情報端末）等であってもよい。
【００３２】
情報入力手段５１は、その情報端末装置５のユーザ（現在のユーザ）の情報を入力する手段であり、表示装置（ディスプレイ装置）における入力結果の表示を確認しながらキーボードやポインティングデバイス等で入力するよう構成しておけばよい。
【００３３】
パンフレット要求送信手段５２は、情報入力手段５１で入力されたユーザの情報と共に、パンフレット情報を要求するためのパンフレット要求情報を、ネットワーク４を通じてサーバ装置１に送信する手段である。すなわち、パンフレット要求送信手段５２では、ユーザが必要とするパンフレット情報（例えば、ユーザが旅行情報を希望している場合、旅行先，旅行日等）の要求（パンフレット要求情報）をユーザ情報（例えば、年齢，性別，職業，氏名，住所，電子メールアドレス等）と共に送信する。
【００３４】
また、パンフレット受信手段５３は、サーバ装置１からネットワーク４を通じてパンフレット情報を受信する情報受信手段である。すなわち、ユーザは情報端末装置５を利用してサーバ装置１からパンフレット情報を入手することとなる。また、情報端末装置５は、パンフレット受信手段５３で受信したパンフレット情報を表示するための上述のごとき表示装置を有するようにしてもよい。
【００３５】
印刷要求送信手段５４は、受信したパンフレット情報の印刷要求及び印刷データを、画像形成装置６に送信する手段である。すなわち、印刷要求送信手段５４では、ユーザが入手したパンフレット情報について、全て或いは印刷を必要とする特定の情報についての印刷要求情報（印刷要求及び印刷データ）を、画像形成装置６に送信する。なお、印刷要求送信手段５４は、基本的にパンフレット受信手段５３で受け取ったパンフレット情報を、自動的に印刷データに変換し、画像形成装置６に送信するが、上述のごとく特定の情報のみの印刷要求を行う場合にはデフォルトで設定しておくか、ユーザがパンフレット情報を表示した情報端末装置５を用いて特定の範囲等を指定するようにしてもよい。
【００３６】
また、印刷要求とは、基本的に画像形成装置６側への要求データであり、画像形成装置６にバッファメモリが有る場合などは印刷データと同時に画像形成装置６へ送信することもできるが、印刷要求をまず画像形成装置６側へ送信し印刷許可が下りた段階で印刷データを送信するようにしてもよい。なお、サーバ装置１に印刷データへの変換手段を備えておくか、或いはパンフレット情報ＤＢ３に印刷データを格納しておくかにより、サーバ装置１がパンフレット情報を元々印刷データとして提供する形態も採用可能である。
【００３７】
本システムにおける情報端末装置５としては、例えば駅やビル，ショップ内等の公共スペースに設置される共用情報端末等が挙げられ、具体的には汎用ＰＣを始めとして、タッチパネル機能を備えたコンピュータを用いる等の方法が挙げられる。特に、タッチパネル機能を備えたコンピュータは、使用法が容易であり情報の入手がし易いことから、より好適である。
【００３８】
また、情報機器の高性能化及び小型化技術に伴って、携帯電話又はＰＤＡ等の携帯個人端末も急速に普及している。これらの携帯端末情報（例えば地図情報，ショッピング情報，割引クーポン情報等；携帯個人端末情報とも謂える）を上述の情報端末装置５に送信し、携帯個人端末情報受信手段も備えた画像形成装置６を用いて紙媒体や電子ペーパに出力する、或いは画像形成装置６に直接携帯端末情報を送信して、紙媒体や電子ペーパにカラー出力又はモノクロ出力する、などの機能を付加機能として設けることによって、画像形成装置６を有効利用でき、またユーザにとってより利便性が向上することから好ましい。
【００３９】
画像形成装置６は、印刷要求受信手段６１及び画像形成手段６２を少なくとも備えるものとする。印刷要求受信手段６１は、情報端末装置５より送信された印刷要求及び印刷データを受信する手段であり、印刷データ受信手段とも謂える。また、画像形成手段６２は、印刷データを受信したのち、印刷要求受信手段６１で受信した印刷要求及び印刷データに基づいて、パンフレット情報を紙媒体（普通紙，感熱紙等）に画像として形成する手段である。
【００４０】
また、画像形成装置６としては、電子写真方式，インクジェット方式，感熱転写方式，静電プリンタ方式，磁気プリンタ方式，銀塩プリンタ方式等の印刷装置が挙げられる。近年、コンピュータや通信速度の向上に従って、カラー画像の普及が急激に進んでおり、画像形成装置についてもカラー化が要求されているので、画像形成装置６がカラー画像の形成を行うようにしてもよい。本システムの画像形成装置６においては、前述の公共スペースに情報端末装置５と共に設置されて使用されるものであり、特に高速出力、高画質、高信頼性を要求されることから、電子写真方式を用いた印刷装置がより望ましい。
【００４１】
なお、被画像形成媒体（記録媒体）として電子ペーパを採用する場合には、画像形成手段６２は、電子ペーパに対し、有線，無線を問わず画像形成データ（画像表示データ）を送信する手段を備えるものとする。また、パンフレット情報がその電子ペーパ上において複数ページに亘る情報（表示する文字等の大きさにも依る）であることが、通常であると想定できるが、その場合には、電子ペーパに各ページの表示データを記憶する記憶手段を備えておき、電子ペーパ自体に表示ページ切り替え機能を設けるようにすればよい。
【００４２】
従って、サーバ装置１及び情報端末装置５、画像形成装置６とにより構成される、ネットワーク４を利用した本システムにより、紙媒体を用いた速報性の高い情報を含むパンフレットを公共スペースで容易に入手することが可能になり、且つ広告主側も有用な顧客情報を得ることができる。
【００４３】
なお、本明細書中、顧客管理情報ＤＢ２やパンフレット情報ＤＢ３は、サーバ装置１にＤＢ等が物理的に含まれている形態でも、ネットワークを介して接続され物理的に離散している形態を採用してもよい。また各種ＤＢは、その構成上別々のものでも一体型のものでもよく、要は、それらのＤＢの機能がはたせる形態であればよい。サーバ装置１の形態としては、ネットワーク４に接続するためのサーバ（インターネット接続が必要な場合はＷｅｂサーバなど）、各ユーザを認証するための認証サーバ、各種データベースを管理するためのデータベース管理サーバ等、階層構造をもったサーバ機能をもつコンピュータとしてもよい。
【００４４】
また、本明細書におけるネットワーク４等のネットワークとしては、有線，無線に限らず専用回線（光ファイバなどの回線も含む），電話回線などで接続されたインターネットや、インターネット技術を利用したイントラネット，エクストラネット、さらには専用回線を使用する場合でもＷＡＮ（Ｗｉｄｅ  Ａｒｅａ  Ｎｅｔｗｏｒｋ）やＭＡＮ（Ｍｅｔｒｏｐｏｌｉｔａｎ  Ａｒｅａ  Ｎｅｔｗｏｒｋ）、ＬＡＮ（Ｌｏｃａｌ  Ａｒｅａ  Ｎｅｔｗｏｒｋ）で構成される形態も有り得る。また、このネットワーク４は、専用回線の使用、伝送データの暗号化、情報端末装置５を使用するユーザの認証など様々な方法によるセキュリティの強化を本発明の形態に応じて実施することが好ましい。
【００４５】
本実施形態では、各手段がサーバ装置１や情報端末装置５としての情報処理装置に備えられている形態を説明している。図３は、一般的な情報処理装置の構成例を示すブロック図で、図中、４１は入力装置、４２は表示装置、４３は出力装置、４４はＣＰＵ、４５はＲＯＭ、４６はＲＡＭ、４７はバスである。
【００４６】
図３には情報処理装置の構成例の一例を示しているが、情報処理装置としては汎用コンピュータが挙げられ、各種情報を入力するためのキーボード，マウス，記録媒体読取装置，他の機器からの入力用のネットワーク機器などの入力装置４１、検索結果やその他の情報を表示するためのＣＲＴ，ＬＣＤなどのディスプレイである表示装置４２、印刷装置，記録媒体用記録装置，ネットワーク接続装置（ネットワークに接続して通信を行うためのネットワークボード等の通信機器であり）などの出力装置４３、さらには、プログラムを記録したハードディスクやＲＯＭ（Ｒｅａｄ  Ｏｎｌｙ  Ｍｅｍｏｒｙ）４５、そこに格納されたプログラムを実行するためのＣＰＵ（Ｃｅｎｔｒａｌ  Ｐｒｏｃｅｓｓｉｎｇ  Ｕｎｉｔ）４４、及びその実行領域としてのＲＡＭ（Ｒａｎｄｏｍ  Ａｃｃｅｓｓ  Ｍｅｍｏｒｙ）４６をその主要な構成要素とし、それらがバス４７により接続されているものとして例示している。
【００４７】
サーバ装置１に搭載される場合のこのプログラムは、上述するサーバ装置１の各手段（或いは各手段の一部）としてコンピュータのＣＰＵ４４等を制御するプログラム（コンピュータを機能させるプログラム）である。同様に、情報端末装置５に搭載される場合のプログラムとしては、上述する情報端末装置５がサーバ装置１にアクセス可能とし、且つ各種情報を入力・送信するように、コンピュータのＣＰＵ等を制御するプログラムである。これらのプログラムは、装置ユーザ（本システムの管理者、情報端末装置５のユーザ）が使用する際に容易となるように、表示装置４２用のグラフィカルユーザインターフェース（ＧＵＩ）を備えるようにするとよい。そして、これら装置で取り扱われる情報は、その処理時に一時的にＲＡＭ４６に蓄積され、その後、各種ＲＯＭ４５やハードディスクに格納され、必要に応じて、ＣＰＵ４４によって読み出し、修正・書き込みが行われる。
【００４８】
上述したように、本システムは、サーバ装置１、ネットワーク４を通じて接続された各種のデータ処理を実行可能で公共スペースに設置された情報端末装置５、及び情報端末処理装置５と同じ公共スペースに設置された画像形成装置６を用いて、紙媒体や電子ペーパを用いた速報性の高い情報を含むパンフレットを公共スペースで容易に入手することを可能とするパンフレット作成システムである。
ここで、本発明に係るネットワークを利用したパンフレット作成システムにおける処理手順例をイベントトレースのシーケンスとして説明する。
【００４９】
図４は、図１のパンフレット作成システムにおける処理手順例を説明するためのフロー図で、本発明の一実施形態に係るパンフレット作成方法の処理手順例を説明するためのフロー図でもある。また、図５は、本発明に係わる、ユーザが利用する情報端末装置側のＧＵＩ画面の一例を示す図で、図４の処理手順におけるユーザ入力画面の一例を示す図である。図中、５５はＧＵＩ画面、５６はパンフレット要求情報入力欄（パンフレット選択欄）、５７はユーザ情報入力欄である。
【００５０】
まず、ユーザが情報端末装置５を通じて、ユーザ情報を入力し（ステップＳ１）、ユーザは希望するパンフレットを選択しておき情報端末装置５を通じてパンフレットを選択し、パンフレット要求及びユーザ情報をサーバ装置１に送信する（ステップＳ２）。ステップＳ１，Ｓ２における処理は、情報端末装置５のみで実行可能なよう処理用のＧＵＩ画面を含むような処理プログラムを情報端末装置５に搭載しておいてもよいし、情報端末装置５側からサーバ装置１にアクセスし、サーバ装置１からの指示によりＧＵＩ画面を情報端末装置５の表示装置に表示させ、ユーザの入力を促してもよい。
【００５１】
図５ではＧＵＩ画面の一例として、パンフレットを入手要求する際の例を示している。この例では、ＧＵＩ画面５５には、パンフレット要求情報入力欄（パンフレット選択欄）５６，ユーザ情報入力欄５７が設けられている。パンフレット要求情報入力欄（パンフレット選択欄）５６には、「希望地」として「国内」，「海外」に分け、北海道，東北，．．．，アメリカ，ハワイ，．．．などと、旅行先の候補が列記されており、それぞれの旅行先の隣にはチェックボックスを設け、ユーザが選択可能なようにしている。その他、「希望時期」や「旅行人数」などもその選択肢とチェックボックスとが列記されている。勿論、ユーザが「ドイツ」などと入力し、それに係わるパンフレットを最終的に得るようなことも可能である。
【００５２】
また、ユーザ情報入力欄５７は、ＩＤを持っているユーザに対するＩＤ入力欄（及びパスワード入力欄）や、ＩＤを持ってない消費者に対する、住所，氏名，ｅ−ｍａｉｌ，性別，職業，などの入力欄が設けられている。各入力欄には、プルダウン方式のメニューや選択用のラジオボタンなどの既知の入力方法を適宜採用するとよい。さらに、広告要求（パンフレット要求）用のボタンを用意しておき、このボタンをユーザがマウスなどでクリックすることで、サーバ装置１への各情報の送信が行われるようにしてもよい。
【００５３】
サーバ装置１はそれらの情報を受信し（ステップＳ３）、受信した情報（少なくともパンフレット要求情報）に基づき、ユーザが必要とする情報検索を実行する（ステップＳ４）。続いてサーバ装置１は検索結果に基づいて、パンフレット情報をその情報端末装置５に送信（返信）する（ステップＳ５）。情報端末装置５は、送信されたデータを受信したのち（ステップＳ６）、画像形成装置６に印刷要求・印刷データを送信することで、画像形成装置６に印刷データの出力要求を行う（ステップＳ７）。画像形成装置６は印刷要求・印刷データを受信したのち（ステップＳ８）、印刷データの出力を実行する（ステップＳ９）。
【００５４】
上述のごとく、本システムにおけるサーバ装置１側の処理手順は、ステップＳ３〜Ｓ５となる。すなわち、サーバ装置１の実行動作としては、まず、パンフレット要求を受信し（ステップＳ３）、要求に基づいてパンフレット情報を検索する（ステップＳ４）。続いて、公共スペースに設置された情報端末装置５に情報を送信し（ステップＳ５）、処理を終了する。サーバ装置１は、勿論、情報端末装置５からのアクセスにより、ＧＵＩ画面５５のような表示データを送信するようにしてもよい。
【００５５】
一方、本システムにおけるユーザ側の情報端末装置（情報処理端末装置）５の処理手順はステップＳ１，Ｓ２，Ｓ６，Ｓ７となる。情報端末装置５の実行動作としては、まず、ユーザ情報・パンフレット要求を送信し（ステップＳ１，Ｓ２）、次にパンフレット情報をサーバ装置１から受信したのち（ステップＳ６）、印刷要求を送信し（ステップＳ７）、処理を終了する。また、本システムにおけるユーザ側の画像形成装置６の処理手順はステップＳ８，Ｓ９となる。画像形成装置６の実行動作としては、まず、印刷要求・印刷データを受信したのち（ステップＳ８）、印刷データの出力を実行し（ステップＳ９）、処理を終了する。このようにして、ユーザは、情報端末装置５を利用してパンフレットの要求を行うことができ、画像形成装置６を用いたパンフレットの入手が可能になる。
【００５６】
図６は、図１のパンフレット作成システムにおける他の処理手順例を説明するためのフロー図で、本発明の他の実施形態に係るパンフレット作成方法の処理手順例を説明するためのフロー図でもある。
【００５７】
本発明の他の実施形態に係るパンフレット作成システム（以下、本システムという）は、図１乃至図５で説明した各実施形態のシステムにおいて、提供するパンフレットの内容を顧客管理情報に基づいて変えることを可能としたものであり、上述したシステム及びプログラムと同様の箇所や応用形態の説明はその効果の説明も含め省略する。
【００５８】
本システムにおけるパンフレット情報ＤＢ３には、パンフレット情報に付加する付加情報を関連付けて記憶しておく。パンフレット配信手段１２は、パンフレット要求受信手段１１で受信したユーザ情報に基づいて、顧客管理情報ＤＢ２に記憶された顧客管理情報を参照して、そのユーザが付加情報を提供するに値するユーザか否かを識別する。そして、パンフレット配信手段１２は、受信したユーザ情報が顧客管理情報ＤＢ２に既に記憶されたユーザに対するものであった場合に、パンフレット情報に付加情報を付加して送信する。付加情報としては、ユーザに有益な情報、例えば限定特別割引情報など、が挙げられる。
【００５９】
このように、本実施形態では、パンフレット配信手段１２は、パンフレット要求受信手段１１で受信したユーザ情報に基づいて、顧客管理情報ＤＢ２に記憶された顧客管理情報を参照して、所定のパンフレット情報を配信する。ここで、所定のパンフレット情報とは、上述のごとく付加情報を付加したパンフレット情報を指すか、若しくは単にパンフレットの内容を異ならせたものを指すか、若しくは次のような他種のパンフレット情報を指す。すなわち、パンフレット情報ＤＢ３に、同じ内容のパンフレット情報として、顧客管理情報ＤＢ２に記憶された顧客管理情報に該当するユーザ用とそれに該当しないユーザ用との、少なくとも２種類のパンフレット情報を記憶しておく。
【００６０】
本システムにおいては、まず、図４のステップＳ１〜Ｓ４と同様の処理を進め（ステップＳ１１〜Ｓ１４）、情報端末装置５でアクセスしてきたユーザが初めてのユーザであるか否かを判定する（ステップＳ１５）。初めてのユーザでない場合には、検索したパンフレット情報に付加情報を付加し（ステップＳ１６）、パンフレット情報を送信する（ステップＳ１７）。初めてのユーザであった場合には、そのままパンフレット情報を送信する（ステップＳ１７）。本システムでは、既に登録している消費者（利用者）に対し、利用者にとって有益な情報を提供することが可能となる。
【００６１】
また、付加情報を提供するに値するユーザの識別に関し、他の形態として、初めてのユーザのみに付加情報を付加するようにしてもよい。さらに他の形態として、アクセスの順番によって付加情報を付加するようにしてもよい。例えば、予め各所に宣伝広告を出しておくなどしておき、所定のパンフレット情報に対し、アクセスしてパンフレットを取得しようとしているユーザのうち、何番目までにアクセスのあったユーザに対してのみ、付加情報を付加するようにしてもよい。
【００６２】
また、顧客管理情報に基づいたパンフレット情報の配信に関し、他の実施形態として、パンフレット配信手段１２は、パンフレット要求受信手段１１で受信したユーザ情報に基づいて、顧客管理情報ＤＢ２に記憶された顧客管理情報の利用履歴又は購入履歴を参照して、所定のパンフレット情報（内容を異ならせた情報／付加情報を加えた内容の情報）を配信（送信）するようにしてもよい。また、同様に、パンフレット情報ＤＢ３に、パンフレット情報に付加する付加情報を関連付けて記憶しておき、パンフレット配信手段１２が、パンフレット要求受信手段１１で受信したユーザ情報に基づいて、顧客管理情報ＤＢ２に記憶された顧客管理情報を参照して、受信したユーザ情報に係るユーザの当該システムの利用履歴又は購入履歴に基づいて、パンフレット情報に所定の付加情報を付加して送信するようにしてもよい。なお、これらの実施形態においては、顧客管理情報は、顧客の当該システムの利用履歴に関する情報、或いはパンフレット情報の提供業者（当該システムの運営者に該当する場合もある）に対する顧客の購入履歴に関する情報を含むものとする。
【００６３】
すなわち、パンフレット配信手段１２は、配信に先立ち、取得したユーザ情報から顧客管理情報ＤＢ２を参照して顧客管理情報を検索することによって、過去の利用実績等を調査する。調査（検索）した顧客の利用実績に基づき、パンフレット情報の抽出を行う。例えば、旅行パンフレットの入手をユーザ（利用者）が要望している場合、新規利用者への特別キャンペーンを行っている旅行プランや宿の情報を盛り込んだり、或いは従来からの利用者に対し、限定特別割引情報を盛り込んだりすることによって、利用者にとって有益な情報を提供することが可能となる。
【００６４】
図７は、本発明の他の実施形態に係るパンフレット作成システムの一構成例を示す図で、図８は、図７のシステムの詳細を説明するための図で、図９は、図７のパンフレット作成システムにおける処理手順例を説明するためのフロー図で、本発明の他の実施形態に係るパンフレット作成方法の処理手順例を説明するためのフロー図でもある。図中、１３は画像形成要求送信手段の一例としての印刷要求送信手段であり、その他、図１及び図２と同じ或いは同様の構成要素には同じ符号を付してある。
【００６５】
本発明の他の実施形態に係るパンフレット作成システム（以下、本システムという）は、図１乃至図６で説明した各実施形態のシステムにおいて、画像形成の指示をサーバ装置１から画像形成装置６へ直接送信することを可能としたものであり、上述したシステム及びプログラムと同様の箇所や応用形態の説明はその効果の説明も含め省略する。
【００６６】
本システムにおける画像形成装置６は、サーバ装置１にネットワーク（ネットワーク４や他のネットワーク）を通じて接続可能とし、且つ、情報端末装置５の近傍に設置されるものとする。サーバ装置１は、パンフレット配信手段１２の代わりに、印刷要求送信手段１３を備え、情報端末装置５に対してではなく画像形成装置６に対して、パンフレット情報を配信する。ここでのパンフレット情報の配信は、画像形成装置６への印刷要求及び印刷データを送信することで実行する。また、パンフレット要求元の情報端末装置５に対し、その近傍にある画像形成装置６でパンフレットを作成するために、情報端末装置５と関連付けて近傍にある画像形成装置６のＩＰアドレス等の位置情報を、サーバ装置１に記憶しておくとよい。
【００６７】
すなわち、印刷要求送信手段１３は、パンフレット要求受信手段１１で受信したパンフレット要求情報に基づいて、パンフレット情報ＤＢ３に記憶されたパンフレット情報を、ネットワークを通じて画像形成装置６に印刷要求及び印刷データとして送信する手段である。また、情報端末装置５には、パンフレット受信手段５３及び印刷要求送信手段５４は不用であり、画像形成装置６には、印刷要求受信手段６１として、サーバ装置１からネットワークを通じてパンフレット情報の印刷要求及び印刷データを受信する手段を備えるものとする。
【００６８】
本システムにおいては、まず、図４のステップＳ１〜Ｓ４と同様の処理を進め（ステップＳ３１〜Ｓ３４）、アクセスしてきた情報端末装置５の近傍にある画像形成装置６に対し、（パンフレット情報から印刷要求・印刷データを作成して）印刷要求・印刷データを送信する（ステップＳ３５）。画像形成装置６では、その印刷要求・印刷データを受信し（ステップＳ３６）、画像を形成して出力する（ステップＳ３７）。
【００６９】
また、本発明の他の実施形態として、「所定の装置から送信されたパンフレット情報のみを表示可能とする電子ペーパを、パンフレット提供業者がユーザに格安で販売或いは無償で提供し、その電子ペーパに画像を形成する」といったサービス形態も考えられ、次にこのようなパンフレット作成システムを説明する。
【００７０】
本発明の他の実施形態に係るパンフレット作成システム（以下、本システムという）は、図１乃至図９で説明した各実施形態のシステムにおいて、被画像形成媒体を電子ペーパに限定したシステムであり、且つ本システムにおけるパンフレット提供業者が電子ペーパをユーザに提供して、その電子ペーパに画像形成装置を行うことを可能とし、同時にその電子ペーパで他のパンフレット提供業者からのパンフレットを表示できないようにしたものであり、上述したシステム及びプログラムと同様の箇所や応用形態の説明はその効果の説明も含め省略する。
【００７１】
本システムにおけるサービス形態は、まず、例えば、旅行会社Ａが、店頭などで電子ペーパを格安或いは無償で提供する。提供する電子ペーパは、旅行会社Ａの店頭などに設置された、無線或いは有線で画像形成データを送信する画像形成装置からのアクセスのみ受け入れ、他の画像形成装置から送信された画像形成データを表示不可能としておく。すなわち、旅行会社Ａが提供した電子ペーパには、他の旅行会社（例えば旅行会社Ｂ）などの店頭の画像形成装置で使用不可能とするためのロック手段を設けておき、提供した電子ペーパが他社の営業に使用されることを防止する。そのようなロック手段は、電子ペーパの表示部において電圧印加させる前の段階で、特定の信号を受け取ったものしか表示部に電圧印加をさせないといったような機構を設けることで実現可能である。
【００７２】
以上、図１乃至図９を参照しながら、本発明のシステム，プログラム，方法を中心に各実施形態を説明してきたが、本発明は、上述した各実施形態で説明したように、コンピュータをそれらシステムにおけるサーバ装置又は情報端末装置又は画像形成装置の一部として機能させるためのプログラム、或いはコンピュータにそれらの処理手順やそれら方法を実行させるためのプログラムとしても、或いは、そのプログラムを記録したコンピュータ読み取り可能な記録媒体としての形態も採用可能である。
【００７３】
本発明によるパンフレット作成の機能を実現するためのプログラムやデータを記憶した記録媒体の実施形態を説明する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、上述した本発明の各実施形態の装置の機能をコンピュータに実行させ、パンフレット作成の機能を実現するためのプログラムを、これら記録媒体に記録して流通させることにより、当機能の実現を容易にする。そして、図３で例示したようなコンピュータ等の情報処理装置に、上述のごとくの記録媒体を装着して情報処理装置によりプログラムを読み出すか、若しくは情報処理装置が備えている記録媒体に当プログラムを記憶させておき、必要に応じて読み出すことにより、本発明に係わるパンフレット作成の機能を実行することができる。
【図面の簡単な説明】
【００７４】
【図１】本発明の一実施形態に係るパンフレット作成システムの一構成例を示す図である。
【図２】図１のシステムの詳細を説明するための図である。
【図３】一般的な情報処理装置の構成例を示すブロック図である。
【図４】図１のパンフレット作成システムにおける処理手順例を説明するためのフロー図で、本発明の一実施形態に係るパンフレット作成方法の処理手順例を説明するためのフロー図でもある。
【図５】本発明に係わる、ユーザが利用する情報端末装置側のＧＵＩ画面の一例を示す図で、図４の処理手順におけるユーザ入力画面の一例を示す図である。
【図６】図１のパンフレット作成システムにおける他の処理手順例を説明するためのフロー図で、本発明の他の実施形態に係るパンフレット作成方法の処理手順例を説明するためのフロー図でもある。
【図７】本発明の他の実施形態に係るパンフレット作成システムの一構成例を示す図である。
【図８】図７のシステムの詳細を説明するための図である。
【図９】図７のパンフレット作成システムにおける処理手順例を説明するためのフロー図で、本発明の他の実施形態に係るパンフレット作成方法の処理手順例を説明するためのフロー図でもある。
【符号の説明】
【００７５】
１…パンフレット情報配信サーバ装置（サーバ装置）、２…顧客管理情報データベース（ＤＢ）、３…パンフレット情報データベース（ＤＢ）、４…通信ネットワーク、５…情報端末装置、６…画像形成装置、１１…パンフレット要求受信手段、１２…パンフレット配信手段、１３，５４…印刷要求送信手段、４１…入力装置、４２…表示装置、４３…出力装置、４４…ＣＰＵ、４５…ＲＯＭ、４６…ＲＡＭ、４７…バス、５１…情報入力手段、５２…パンフレット要求送信手段、５３…パンフレット受信手段、５５…ＧＵＩ画面、５６…パンフレット要求情報入力欄（パンフレット選択欄）、５７…ユーザ情報入力欄、６１…印刷要求受信手段、６２…画像形成手段。
【図１】
2005190096.tif 000003
【図２】
2005190096.tif 000004
【図３】
2005190096.tif 000005
【図４】
2005190096.tif 000006
【図５】
2005190096.tif 000007
【図６】
2005190096.tif 000008
【図７】
2005190096.tif 000009
【図８】
2005190096.tif 000010
【図９】
2005190096.tif 000011